(57)【要約】【課題】  栽培の効率化を図ると共に、丈夫な苔マットを栽培することが可能な苔マット栽培方法、苔マット、及びこれを備えた緑化パネルを提供する。【解決手段】  苔マット栽培方法は、表裏面を有するロックウールマット２を培地とし、表面側に種苔を播いて苔植物３を育成することを特徴とする。この方法では、培地となるロックウールマット２が軽量であるため、取り扱いが容易である。また、培地としてのロックウールマット２は、苔植物３の生育後にそのまま苔マット１のベースとして利用できるため、苔マット１を栽培した後に培地を除去するのに要する作業が不要になる。よって、栽培の効率化が図られる。また、培地としてのロックウールマット２には、苔植物３の根付きが良いため、苔マット１は破断しにくく丈夫である。さらに、この方法によれば、苔植物３の生育が格段に早くなる。【選択図】  図２
2005160315.tif 000002
【特許請求の範囲】
【請求項１】
表裏面を有するロックウールマットを培地とし、表面側に種苔を播いて苔植物を育成することを特徴とする、苔マット栽培方法。
【請求項２】
前記ロックウールマットの前記表面側に前記種苔を播いて、該表面を不織布により覆った後に、のりを含んだ水を散水して前記苔植物を育成することを特徴とする、請求項１記載の苔マット栽培方法。
【請求項３】
前記ロックウールマットの前記表裏面の少なくとも一方にはメッシュ状シートが貼付されていることを特徴とする、請求項１または２記載の苔マット栽培方法。
【請求項４】
請求項１〜３のいずれかに記載の苔マット栽培方法によって栽培された苔マット。
【請求項５】
請求項４記載の苔マットと、
前記苔マットの前記ロックウールマットの裏面側に積層される他のロックウールマットと、
前記苔マットと前記他のロックウールマットとを被覆する樹脂製のメッシュ状袋体と、
前記メッシュ状袋体で被覆された前記苔マット及び前記他のロックウールマットを格納する金属製の網かごと、
を備えた緑化パネル。
【発明の詳細な説明】
【技術分野】
【０００１】
本発明は、苔マット栽培方法、苔マット、及び緑化パネルに関するものである。
【背景技術】
【０００２】
コンクリート面や石面を緑化するための手段として、不織布シート上に苔植物を発芽させた苔シートが知られている。このような苔シートを栽培する際、様々な培地を用いて苔植物を発芽させる試みがなされている。例えば、下記特許文献１に開示された方法では、苔植物が発芽しやすいように、トレーに砂を敷き詰めて培地としている。このように、砂を培地とすることにより、保水性を実現している。
【特許文献１】特開平１０−１９１７７４号公報
【発明の開示】
【発明が解決しようとする課題】
【０００３】
しかしながら、上記した方法では、以下の問題点があった。すなわち、培地となる砂は重量で取り扱いが困難であること、砂をトレーに敷き詰めるのに要する作業量が大きいこと、苔マットを栽培後に砂を除去するのに要する作業量が大きいことから、作業効率が悪く、また、栽培された苔シートが破断しやすいという問題点があった。
【０００４】
本発明は、上述の問題点を解決するためになされたもので、栽培の効率化を図ると共に、丈夫な苔マットを栽培することが可能な苔マット栽培方法、苔マット、及びこれを備えた緑化パネルを提供することを目的とする。
【課題を解決するための手段】
【０００５】
本発明に係る苔マット栽培方法は、表裏面を有するロックウールマットを培地とし、表面側に種苔を播いて苔植物を育成することを特徴とする。
【０００６】
この方法では、培地となるロックウールマットが軽量であるため、取り扱いが容易である。また、培地としてのロックウールマットは、苔植物の生育後にそのまま苔マットのベースとして利用できるため、苔マットを栽培した後に培地を除去するのに要する作業が不要になる。よって、栽培の効率化が図られる。また、培地としてのロックウールマットには、苔植物の根付きが良いため、苔マットは破断しにくく丈夫である。さらに、この方法によれば、苔植物の生育が格段に早くなることを発明者は見出した。これは、砂に比べ、ロックウールマットの方が通気性や保水性に優れているためと推測される。
【０００７】
また、上記ロックウールマットの上記表面側に上記種苔を播いて、不織布により覆った後に、のりを含んだ水を散水して上記苔植物を育成してもよい。不織布は水分を含んでシート状から繊維状になって分解され、水分が蒸発した後に、分解された不織布及び水に含まれていたのりにより種苔が固定される。その結果、苔マットの栽培過程における風雨等による種苔の飛散が防止される。
【０００８】
また、上記ロックウールマットの上記表裏面の少なくとも一方にはメッシュ状シートを貼付してもよい。これにより、上記ロックウールマットは補強されるため、苔植物側の面を内側にしメッシュ状シートを貼付した反対面を外側にしてロール形状に巻き込むことができる苔マットが栽培されることになる。この苔マットにより、広大な面積の苔マットをコンパクトにまとめることや、広大な面積に苔マットを敷く場合にコンパクトにまとめた該苔マットを広げるだけで容易に敷くことができるので、作業量の大幅な削減が実現できる。
【０００９】
本発明に係る苔マットは、上記記載の方法により栽培されている。
【００１０】
本発明に係る緑化パネルは、上記苔マットと、上記苔マットのロックウールマットの裏面側に積層される他のロックウールマットと、上記苔マットと上記他のロックウールマットとを被覆する樹脂製のメッシュ状袋体と、上記メッシュ状袋体で被覆された上記苔マット及び上記他のロックウールマットを格納する金属製の網かごと、を備えることを特徴とする。
【００１１】
この緑化パネルでは、苔マットのロックウールマットの裏面側に積層された他のロックウールマットを備えるため、保水性や通気性等の培地としての機能が更に充実される。また、樹脂製のメッシュ体により被覆することで、根付けした苔植物がロックウールマットから別離するのが防止される。尚、網かごは、例えば上端が開口された網かご本体と、上端をふさぐ網蓋とで構成してもよい。この緑化パネルにより、公園、屋上、屋根、傾斜面、壁面等を緑化する場合に、このパネルを敷き詰めるだけでよくなり、平面や傾斜面や壁面に対しての緑化の施工を容易にする。また、培地となるロックウールマットが軽量なため、この緑化パネル自身も軽量となり、容易な取り扱いが可能となる。
【発明の効果】
【００１２】
本発明によれば、栽培の効率化を図ると共に、丈夫な苔マットを栽培することが可能な苔マット栽培方法、苔マット、及びこれを備えた緑化パネルが提供される。
【発明を実施するための最良の形態】
【００１３】
以下、添付図面を参照して、本発明に係る苔マット栽培方法、苔マット、及び緑化パネルの好適な実施形態について詳細に説明する。尚、同一要素には同一符号を用いるものとし、重複する説明は省略する。また、図面の寸法比率は、説明のものと必ずしも一致していない。
【００１４】
［第１実施形態］
図１は、第１実施形態に係る苔マットを示す断面図である。苔マット１は、公園、屋上、屋根、傾斜面、壁面等を緑化するために敷き詰めて用いられるものであり、培地としてのロックウールマット２とロックウールマット２の表面に育成された苔植物３とを有している。ここで、ロックウールマットとは、ケイ酸等を主成分とした岩石を高温溶融した後に繊維状にして所定の寸法に成型したもので、軽量で通気性や断熱性に優れた性質を有する。
【００１５】
ロックウールマット２の密度は、３０ｋｇ／ｍ３〜２００ｋｇ／ｍ３であると好ましい。密度が３０ｋｇ／ｍ３より低いと、培地として用いるには柔らかくなって形を保つことが難しくなり、一方、２００ｋｇ／ｍ３より高いと、培地としては硬くなって苔植物の根付きが悪くなるためである。また、ロックウールマット２の厚さは、１０ｍｍ以上であると好ましい。厚さが１０ｍｍより薄いと、苔マット１が破断しやすくなるためである。後述のようにトレー内で苔マット１を栽培する場合は、ロックウールマット２の厚さは、トレーの内側の深さを超えない範囲で選択すると好ましい。尚、一般的には、厚みは１００ｍｍ以下である。さらに、ロックウールマットが養分に富んでいる場合、苔植物３の生育が抑制されてしまう傾向があることを発明者は見出しており、この観点から、肥料分を含まないロックウールマットを選択するのが好ましい。苔植物３としては、日当たりのよいところで生育するものが好ましく、例えば、スナゴケまたはハイゴケが好ましい。
【００１６】
次に、図２を参照して、本実施形態の苔マット１の栽培方法を説明する。まず、図２（ａ）に示すように、所定の寸法に裁断したロックウールマット２を、トレー４に敷く。次に、図２（ｂ）に示すように、例えばスナゴケといった苔植物３の種苔を、該ロックウールマット２の表面側に満遍なく蒔いて散水する。そして、このトレー４を圃場に並べ、図２（ｃ）に示すように、苔植物３を育成する。最後に、図２（ｄ）に示すように、トレー４から苔マット１を取り出す。
【００１７】
上記の実施形態について、以下のように評価できる。まず１点目として、ロックウールマットは砂のように散らばることがないので、ロックウールマット２をトレー４に敷く場合に要する作業量は、砂を敷く場合と比べ、小さくなった。
【００１８】
次に２点目として、ロックウールマットは軽量なため、培地にロックウールマット２を用いたトレー４を圃場に並べるのに要する作業量は、培地に砂を用いたトレー４を並べる場合と比べ、小さくなった。以上の点から、苔マットの栽培効率が向上することとなった。
【００１９】
次に３点目として、ロックウールマットには苔植物の根付きがよいため、ロックウールマットを用いた場合の苔マット１は、砂を用いた場合と比べ、破断しにくく丈夫になった。
【００２０】
最後に４点目として、砂を培地とした場合の苔植物の生長期間（種苔から苔マットになるまでの期間）が１年〜１年半であるのに比べ、ロックウールマットを培地とした場合のそれは半年〜１年と、培地をロックウールマットにすることにより、苔植物の早い生長を実現できた。これは、砂に比べ、ロックウールマットの方が通気性や保水性に優れているためと推測される。
【００２１】
［第２実施形態］
次に、図３〜５を参照して、本発明に係る苔マットの他の実施形態を説明する。図３は、本実施形態に係る苔マットを示す断面図であり、図４は、本実施形態に係る苔マットのメッシュ状シートを示す斜視図であり、図５は、本実施形態に係る苔マットを巻き込んだ状態を示す斜視図である。
【００２２】
図３に示すように、本実施形態の苔マット１は、第１実施形態で得られた苔マットに対して、ロックウールマットの裏面にメッシュ状シート５が貼付されている。尚、メッシュ状シート５は、ロックウールマットの表面に貼付されていてもよく、更に表裏面の双方に貼付されていてもよい。
【００２３】
図４に示すように、メッシュ状シート５は、苔植物の飛散防止のため網目状である。メッシュ状シート５の材質は限定されない。ただし、ロックウールマット２と同面積である。
【００２４】
上記の実施形態について、第１実施形態の場合の評価に加えて、以下のように評価できる。苔マット１は、メッシュ状シート５により補強されているため、図５に示すように、表面を内側にして裏面を外側にしてロール形状に巻き込むことができる。このことにより、広大な面積の苔マット１をコンパクトにまとめることや、広大な面積に苔マット１を敷く場合にコンパクトにまとめた該苔マット１を広げるだけで容易に敷くことができるので、作業量の大幅な削減が実現できる。
【００２５】
［第３実施形態］
次に、図６及び図７を参照して、本発明に係る緑化パネル１０の実施形態を説明する。図６は、本実施形態に係る緑化パネル１０を示す断面図であり、図７は、該緑化パネル１０の分解斜視図である。
【００２６】
図６及び図７に示すように、本実施形態の緑化パネル１０は、第１または第２実施形態で得られた苔マット１と、苔マット１のロックウールマット２の裏面側に積層された他のロックウールマット６と、苔マット１と他のロックウールマット６とを被覆する樹脂製のメッシュ状袋体７と、メッシュ状袋体７で被覆された苔マット１及び他のロックウールマット６を格納する金属製の網かご８，９と、を備えている。メッシュ状袋体７を形成する樹脂としては、ポリプロピレン等が挙げられる。網かご８，９を形成する金属としては、ステンレス等が挙げられる。上記の網かご８，９は、網目が大きいかご本体８と、苔植物３の飛散防止のために網目が小さい蓋９と、から構成されている。
【００２７】
上記の実施形態について、次のように評価できる。苔マット１のロックウールマット２の裏面に他のロックウールマット６を積層することで、保水性や通気性等の培地としての機能が更に充実される。また、樹脂製のメッシュ状袋体７により被覆することで、根付けした苔植物３がロックウールマット２から別離するのが防止される。さらに、網目が小さい蓋９により、苔植物３の飛散が防止される。さらに、このように網かご８，９内に苔マットを格納してパネル化することで、公園、屋上、屋根、傾斜面、壁面等を緑化する場合に、緑化パネル１０を敷き詰めるだけでよくなり、平面や傾斜面や壁面に対しての緑化の施工が容易になる。また、培地となるロックウールマットが軽量なため、この緑化パネル１０自身も軽量となり、移動する場合等は容易に取り扱うことが可能となる。
【００２８】
以上、本発明者によってなされた発明を実施形態に基づき具体的に説明したが、本発明は上記実施形態に限定されるものではなく、種々の変形が可能である。例えば、上記した第１実施形態では、図２（ａ）〜図２（ｄ）に示すように栽培したが、図２（ｂ）と図２（ｃ）の工程の間に関して、次の工程を付加してもよい。すなわち、図２（ｂ）に示すように、例えばスナゴケといった苔植物３の種苔を、該ロックウールマット２の表面側に満遍なく蒔く。次に、図８（ａ）に示すように、その上をロックウールマット２と略同面積の不織布１１（厚さ１ｍｍ〜５ｍｍ）により覆った後に、のりを含んだ水を散水する。これにより、図８（ｂ）に示すように、不織布１１は水分を含んでシート状から繊維状になって分解され、水分が蒸発した後に、分解された不織布１１及び水に含まれていたのりにより種苔が固定される。その結果、苔マットの栽培過程における風雨等による種苔の飛散が防止される。以下、上記の図２（ｃ）の工程に続く。この結果得られる苔マットは、図９（ａ）に示すように、不織布１１に絡みつきながら生育した苔植物３を含む。なお、図９（ｂ）に示すように、苔植物３を含む不織布１１部分をロックウールマット２から剥がしてもよく、これを剥がすことで、苔植物３が不織布１１によってしっかりと支えられた苔シートが得られる。上記苔シートは、苔植物３の根付きがよく、破断しにくいために取り扱いが容易であり、傾斜面や壁面を緑化する場合に、緑化の容易な施工を実現する。
【実施例】
【００２９】
以下、本発明の実施例について説明するが、本発明はこれに限定されるものではない。
【００３０】
（実施例１）
まず、幅４００ｍｍ×長さ４００ｍｍの寸法に裁断した厚さ１７ｍｍで密度が８０ｋｇ／ｍ３のロックウールマット２を、トレー４に敷く。ここで、ロックウールマットは肥料を含まないものとした。次に、苔植物３としてスナゴケの種苔を、該ロックウールマット２の表面側に満遍なく蒔いて散水する。そして、このトレー４を圃場に並べ、苔植物３を育成して、苔マット１を得た。
【００３１】
（実施例２）
まず、幅９００ｍｍ×長さ１０ｍの寸法に裁断した厚さ２５ｍｍで密度が６５ｋｇ／ｍ３のロックウールマット２の裏面に、網目が１０ｍｍ×１０ｍｍのメッシュ状シート５を貼付し、トレー４に敷く。ここで、ロックウールマット２は肥料を含まないものとした。次に、苔植物３としてスナゴケの種苔を、該ロックウールマット２の表面側に満遍なく蒔いて散水する。そして、このトレー４を圃場に並べ、苔植物３を育成して、苔マット１を得た。
【００３２】
上記実施例１及び２の苔マットでは、ロックウールマットは、砂のように散らばることがなく軽量なため、栽培効率が向上することとなった。また、ロックウールマットには苔植物の根付きがよいため、不織布を用いた場合と比べ、破断しにくく丈夫になった。さらに、砂を培地とした場合に比べ、ロックウールマットを培地とすることにより、苔植物の早い生長を実現できた。これは、砂に比べ、ロックウールマットの方が通気性や保水性に優れているためと推測される。
【００３３】
特に、上記実施例２の苔マットではロックウールマットがメッシュ状シートにより補強されているため、ロール形状に巻き込むことができ、広大な面積の苔マットをまとめたり敷いたりするのに要する作業量を、大幅に削減できた。
【００３４】
（実施例３）
実施例１で得た苔マット１のロックウールマット２の裏面に、幅４００ｍｍ×長さ４００ｍｍの寸法に裁断した厚さ２５ｍｍの他のロックウールマット６を積層し、これらを網目が２ｍｍ×２ｍｍのメッシュ状袋体７で被覆し、これを、網目が１００ｍｍ×１００ｍｍのかご本体８に格納し、網目が１２ｍｍ×１２ｍｍの蓋９を固定して、緑化パネル１０を得た。
【００３５】
上記実施例３の緑化パネルでは、苔マットに他のロックウールマットを積層することで、保水性や通気性等の培地としての機能が更に充実できると共に、メッシュ状袋体で被覆することで、苔植物のロックウールマットからの別離や飛散を防止できた。さらに、網かご内に苔マットを格納してパネル化することで、屋根、傾斜面、壁面等を緑化する場合に、緑化パネルを敷き詰めるだけでよくなり、平面や傾斜面や壁面に対しての緑化の施工が容易になった。また、緑化パネル自身が軽量となり、移動する場合等は容易に取り扱うことが可能となった。
【図面の簡単な説明】
【００３６】
【図１】第１実施形態に係る苔マットを示す断面図である。
【図２】図１の苔マットの栽培方法を示す説明図である。
【図３】第２実施形態に係る苔マットを示す断面図である。
【図４】メッシュ状シートを示す斜視図である。
【図５】第２実施形態に係る苔マットを巻き込んだ状態を示す斜視図である。
【図６】第３実施形態に係る緑化パネルを示す断面図である。
【図７】緑化パネルの構成を示す分解斜視図である。
【図８】図２の変形例を示す説明図である。
【図９】図２の変形例を示す説明図である。
【符号の説明】
【００３７】
１…苔マット、２…ロックウールマット、３…苔植物、４…トレー、５…メッシュ状シート、６…他のロックウールマット、７…メッシュ状袋体、８…かご本体、９…蓋、１０…緑化パネル、１１…不織布。
【図１】
2005160315.tif 000003
【図２】
2005160315.tif 000004
【図３】
2005160315.tif 000005
【図４】
2005160315.tif 000006
【図５】
2005160315.tif 000007
【図６】
2005160315.tif 000008
【図７】
2005160315.tif 000009
【図８】
2005160315.tif 000010
【図９】
2005160315.tif 000011